(57)【要約】【課題】  クレジットカードやキャッシュカードなどの現金カードを鞄や手提げ袋のような携帯用物入れに手軽に入れて持ち運びあるいは保管する日常行動において、その持ち運びあるいは保管の過程の隙に現金カードのスキミングが実行されて被害を被ることを防護する。【解決手段】  クレジットカードやキャッシュカードなどの現金カードをも入れて持ち運びし得る携帯用物入れの周壁に、携帯用物入れの内部に収納した現金カードを磁気遮蔽あるいは／および電磁波遮蔽する柔軟なスキミング防護層を形成する。【選択図】  図２
2006000532.tif 000002
【特許請求の範囲】
【請求項１】
その周壁に、内部を磁気遮蔽または／および電磁波遮蔽するスキミング防護層を周壁に形成したことを特徴とする携帯用物入れ。
【請求項２】
現金カードをも入れて持ち運びあるいは保管し得る収納部の壁面に、その収納された現金カードを覆って磁気遮蔽または／および電磁波遮蔽するスキミング防護層を形成したことを特徴とする携帯用物入れ。
【請求項３】
現金カードをも入れて持ち運びあるいは保管し得る仕切り収納部に、その収納された現金カードを包囲して磁気遮蔽または／および電磁波遮蔽するスキミング防護層を形成したことを特徴とする携帯用物入れ。
【請求項４】
スキミング防護層が柔軟な網状のスキミング防護層であることを特徴とする請求項１ないし請求項３のいずれか１項に記載した携帯用物入れ。
【発明の詳細な説明】
【技術分野】
【０００１】
この発明は、クラッチバッグ、ハンドバッグ、ショルダーバッグ、ポシェット、ポーチ、トートバッグ、ボストンバッグ、スーツケース、トランク、手提げバッグ、買物袋、その他の各種鞄・袋物、などの携帯用物入れの構造に関するものである。
【背景技術】
【０００２】
昨今、クレジットカードやキャッシュカード（この出願において、クレジットカードやキャッシュカード、あるいはこれらに類するカードで情報が磁気的・電気的に記録・読み出しされるものを総称して「現金カード」という）のスキミング（skimming）被害が目立ってきている。言うまでもなくスキミング被害の現状の手口は、スキマー（skimmer）と呼ばれる装置で他人の現金カードの磁気記録情報を不正に読み取り、その不正読み取り磁気記録情報を別の同一規格のカードに複製して偽造カードを生成し、その偽造カードを用いて金融機関口座から多額の現金が引き落とされ引き出されるというものである。そして現金カードに記憶されている磁気記録情報の不正読み取りの手口は次第に巧妙となり、不正行為者が他人の現金カードを直に手にすることなく、他人の現金カードが、その他人の上着のポケットに入ったままの状態でスキミングされる例も生じている。一方、日常行動の中で、現金カードは各種の鞄や袋物などの携帯小物入れに入れて持ち歩くことが多いことから、現金カードが携帯小物入れに入ったままの状態で現金カードのスキミング被害に遭うことも今後十分考えられる。また、従来発生している現金カードのスキミング防止対策として、従来多用されている磁気記録・読み取り仕様の現金カードに替わる非接触型ＩＣカードの実用化も検討されている。言うまでもなく非接触型ＩＣカードは，ＩＣチップとアンテナコイルを備えて電磁波（電波）を媒介してＩＣチップのメモリに記憶された情報を読み取るものであるが、今後、このような非接触型ＩＣカード仕様の現金カードを携帯小物入れに入れて持ち運ぶ日常行動の中で、非接触型ＩＣカード仕様の現金カードに対してもスキミングを防護する手段を講ずることも必要である。
【０００３】
従来、クレジットカードやキャッシュカードなどの現金カードを保管しあるいは持ち歩く環境下で、その現金カードに加わる磁界によって、その現金カードに磁気記録されている情報が破損しないようにするために、例えば昭６１−１６４１８４号公開実用新案公報（特許文献１）、昭６１−１６４１８６号公開実用新案公報（特許文献２）、昭６２−３８８８４号公開実用新案公報（特許文献３）、昭６２−１９７８９６号公開実用新案公報（特許文献４）などに見られるように、現金カードの大きさに合わせて作製した磁気遮蔽性のカード専用収納ケースが多々提案されている。また、非接触型ＩＣカードの輸送過程で非接触型ＩＣカードに記録された内部データの不正読み出しや改ざん、あるいは内部回路の破壊が行われることを防止するために、例えば特開平１０−２９３８２７号公開公報（特許文献５）、実用新案登録第３０９９５９４号登録実用新案公報（特許文献６）に示されるように、非接触型ＩＣカードと、その非接触型ＩＣカードの大きさに合わせて作製した電磁波遮蔽用紙とを重ね合わせた状態でラミネートフィルムの袋に封入することも提案されている。しかし日常行動の実態に照らせば、現金カードの使用時ごとにカード専用ケースに現金カードを出し入れすることが煩雑であることから、カード専用ケースを用いることは少なく、現金カードを専用ケースに入れないで各種の携帯用物入れに手軽に入れて持ち運ぶことが極めて多い。したがって、現金カードを携帯用物入れに入れて持ち運びあるいは保管している過程で、スキミング被害に遭うことが十分考えられる。
【特許文献１】昭６１−１６４１８４号公開実用新案公報
【特許文献２】昭６１−１６４１８６号公開実用新案公報
【特許文献３】昭６２−  ３８８８４号公開実用新案公報
【特許文献４】昭６２−１９７８９６号公開実用新案公報
【特許文献５】特開平１０−２９３８２７号公開公報
【特許文献６】実用新案登録第３０９９５９４号登録実用新案公報
【発明の開示】
【発明が解決しようとする課題】
【０００４】
この発明は、上記のように現金カードを持ち歩く通常の日常行動に照らし、カード専用ケースを用いることなく現金カードを携帯用物入れに手軽に入れて持ち運びあるいは保管する場合であっても、その持ち運び・保管時において現金カードのスキミングが実行されることを防護しようとするものである。
【課題を解決するための手段】
【０００５】
上記の課題を解決するために、この発明は、現金カードをも入れて持ち運びあるいは保管し得る携帯用物入れの周壁に、携帯用物入れ内部を磁気遮蔽または／および電波遮蔽するスキミング防護層を形成する。
【０００６】
上記の課題を解決するために、この発明は、現金カードをも入れて持ち運びあるいは保管し得る携帯用物入れの収納部に、その収納された現金カードを覆って磁気遮蔽または／および電波遮蔽するスキミング防護層を形成する。
【０００７】
また、この発明は、上記の課題を解決するための実用性の高い手段として、携帯用物入れに設けられて、現金カードをも入れて持ち運びあるいは保管し得る仕切り収納部に、その収納された現金カードを包囲して磁気遮蔽または／および電波遮蔽するスキミング防護層を形成する。
【０００８】
更にこの発明は、携帯用物入れにスキミング防護層を付加することによって携帯用物入れとしての柔軟性が大きく損なわれたり違和感が生じないようにするために、携帯用物入れに設けられて、現金カードをも入れて持ち運びあるいは保管し得る仕切り収納部に、その収納された現金カードを包囲して磁気遮蔽または／および電波遮蔽する柔軟なスキミング防護層を形成する。
【０００９】
またこの発明では、柔軟なスキミング防護層の例として、薄いフィルム状、あるいは細い糸状素材で編んだ網状のスキミング防護層を形成する。
【発明の効果】
【００１０】
そして、この発明に係る携帯用物入れは、現金カードをも入れて持ち運びあるいは保管し得る携帯用物入れの周壁に、携帯用物入れ内部を磁気遮蔽または／および電波遮蔽するスキミング防護層を形成し、あるいは、携帯用物入れに設けられて、現金カードをも入れて持ち運びあるいは保管し得る収納部に、その収納部に収納された現金カードを包囲して磁気遮蔽または／および電波遮蔽するスキミング防護層を形成しているので、現金カードが磁気記録・読み取り仕様のものでも非接触型ＩＣカード仕様のものでも、現金カードに記録されている情報を不正に読み取るために現金カードにスキマーが近づけられても、スキミング防護層によって現金カードとスキマーの間が磁気遮蔽あるいは電波遮蔽されているので、現金カードの記録情報をスキマーで受信することができず、したがって現金カードが携帯用物入れに収められている状態でのスキミングを阻止することができる。
【発明を実施するための最良の形態】
【００１１】
この発明に係る携帯用物入れの最良の実施形態は、現金カードをも入れて持ち運びし得る携帯用物入れに、現金カードをも入れて持ち運びあるいは保管し得る仕切り収納部を設け、その仕切り収納部に収納された現金カードを包囲して磁気遮蔽または／および電波遮蔽する柔軟な網状のスキミング防護層を、その仕切り収納部に形成したものである。
【実施例１】
【００１２】
以下この発明を、その一実施例を示す図面を参考に説明する。図１，２，３は一つの実施例を示している。図１，２，３において、ａはクラッチバッグで、１はクラッチバッグａの外形を形成する外面部材、２はクラッチバッグａの内面を形成する内面部材で、内面部材２は外面部材１の内面を覆うように縫着されている。外面部材１ならびに内面部材２には、皮革、人造皮革、布地、不織布などが用いられ、内面部材２によって形成される空間は種々の携行品を収納する収納部３となり、内面部材２は収納部３の壁面となっている。なお、外面部材１のみで、特に内面部材２を省いたものもあり、その場合には外面部材１が収納部３の壁面となることは言うまでもない。また、外面部材１ならびに内面部材２によって携帯用物入れの周壁が形成されることも言うまでもない。４はクラッチバッグａの開口部を開閉するファスナーである。５は収納部３の一部を更に小さく仕切って設けた仕切り収納部（ポケット）で、５ａは仕切り収納部５の開口部を開閉する留め具である。Ｃａは現金カードで、従来から多用されている磁気記録・読み取り仕様の現金カードである。すなわち現金カードＣａは、必要情報が周知の磁気的手段によって記録・記憶されており、その必要情報を周知の磁気的検知手段によって読み取ることができる磁気カードである。そして仕切り収納部５には、現金カードＣａや種々の小物を入れて持ち運びあるいは保管し得るものである。また、仕切り収納部５が設けられていない場合、あるいは仕切り収納部５の有無に拘わらず、収納部３に現金カードＣａを入れて持ち運ぶこともあり得ることである。
【００１３】
６は磁気遮蔽効果を奏するスキミング防護層で、鉄、珪素鋼、ニッケル、パーマロイ、ステンレス、アモルファス合金などの高透磁率材料（磁性金属）を主成分とする柔軟な薄い層である。すなわちスキミング防護層６は、高透磁率材料を主成分とする磁気遮蔽素材を箔状、薄いシート状、網状などに加工し、あるいは高透磁率材料の微粉粒子を薄い布、不織シートなどに、貼着、塗布、鍍金、蒸着などの手段で薄く付着して形成されたもので、柔軟性を備えている。そして、このスキミング防護層６を仕切り収納部５の内側に配し、仕切り収納部５に収納された現金カードＣａを包囲して磁気遮蔽できるように配設したものである。
【００１４】
なお、スキミング防護層６は仕切り収納部５の外側面に装着しても良い。また，現金カードＣａは、仕切り収納部５のみならず場合によっては収納部３内に入れて持ち運びすることもあり得ることから、収納部３に収納された現金カードＣａをスキミングから防護するために、仕切り収納部５の有無に拘わらず、収納部３の周囲に、収納部３に収納された現金カードＣａを覆って磁気遮蔽するスキミング防護層６を装着しても良い。また、収納部３の周囲にスキミング防護層６を配設する場合、スキミング防護層６を、外面部材１と内面部材２の間に配設しても良く、更に外観に支障を来たさなければ、外面部材１の外面にスキミング防護層６を配設しても良い。
【００１５】
また、クラッチバッグ（携帯用物入れ）ａにスキミング防護層６を付加することによって、携帯用物入れとしての柔軟性が大きく損なわれて使い勝手が損なわれたり違和感が生じないようにする上で、スキミング防護層６は柔軟性に富んでいることが望ましい。そのために上記スキミング防護層６として、図３に示すような網状シート状に形成したものを用いている。すなわちスキミング防護層６は、高透磁率材料を糸状に加工した高透磁率材細線を布状に織ってなるスキミング防護層６を用いている。
【００１６】
そして、上記実施例に示すクラッチバッグ（携帯用物入れ）ａを用いれば、仕切り収納部５（あるいは収納部３）に入れた磁気記録・読み取り仕様の現金カードＣａは、現金カードＣａを包囲するスキミング防護層６によって、外部に対し磁気遮蔽されているので、クラッチバッグ（携帯用物入れ）ａ内に収めている現金カードＣａからのスキミングを試みようとしてスキマーをクラッチバッグ（携帯用物入れ）ａに近づけても、クラッチバッグ（携帯用物入れ）ａとスキマーの間が磁気遮蔽されているので、スキマーによって現金カードＣａに記録されている磁気記録情報を読み取ることができず、スキミングを阻止することができる。
【実施例２】
【００１７】
図４，５はこの発明の他の実施例を示している。図４，５において、ｂはトートバッグで、１１はトートバッグｂの外形を形成する外面部材、１２はトートバッグｂの内面を形成する内面部材で、内面部材１２は外面部材１１の内面を覆って縫着されている。外面部材１１ならびに内面部材１２には、皮革、人造皮革、布地、不織布などが用いられ、内面部材１２によって形成される空間は種々の携行品を収納する収納部１３となり、内面部材１２は収納部１３の壁面となっている。なお、外面部材１１のみで、特に内面部材１２を省いたものもあり、その場合には外面部材１１が収納部１３の壁面となることは言うまでもない。また、外面部材１１ならびに内面部材１２によって携帯用物入れの周壁が形成されることも言うまでもない。１５は収納部１３の一部を更に小さく仕切って設けた仕切り収納部（ポケット）で、１５ａは仕切り収納部１５の開口部を開閉する留め具である。Ｃｂは、非接触型ＩＣカード仕様の現金カードである。すなわち現金カードＣｂは、ＩＣチップとアンテナコイルを備えて電磁波（電波）を媒介してＩＣチップのメモリに記憶された情報を読み取る非接触型ＩＣカード仕様の現金カードである。仕切り収納部１５には、現金カードＣｂを含む種々の小物を入れて持ち運びあるいは保管し得るものである。また、仕切り収納部１５が設けられていない場合、あるいは仕切り収納部１５の有無に拘わらず、収納部１３に現金カードＣｂを入れて持ち運ぶこともあり得ることである。
【００１８】
１６は電磁波（電波）遮蔽効果を奏するスキミング防護層で、鉄、ニッケルなどの磁性金属、銀、アルミニウム、銅などの非磁性金属、あるいはそれらの化合物、カーボン、導電性プラスチックなどを主成分とする柔軟な薄い層であり、上記のような電磁波遮蔽素材を箔状、薄いシート状、網状などに加工し、あるいは電磁波遮蔽材料の微粉粒子を薄い布、不織シートなどに、貼着、塗布、鍍金、蒸着などの手段で薄く付着して形成され、柔軟性を備えている。そして、このスキミング防護層１６を仕切り収納部１５の内側に配し、仕切り収納部１５に収納された現金カードＣｂを包囲して電磁波（電波）遮蔽できるように配設している。
【００１９】
なお、スキミング防護層１６は仕切り収納部１５の外側面に装着しても良い。また，現金カードＣｂは、仕切り収納部１５のみならず収納部１３内に入れて持ち運びすることもあり得ることから、収納部１３に収納された現金カードＣｂをスキミングから防護するために、仕切り収納部１５の有無に拘わらず、収納部１３の周囲に、収納部１３に収納された現金カードＣｂを覆って電磁波遮蔽するスキミング防護層１６を装着しても良い。また、収納部１３の周囲にスキミング防護層１６を配設する場合、スキミング防護層１６を、外面部材１１と内面部材１２の間に配設しても良く、更に外観に支障を来たさなければ、外面部材１１の外面にスキミング防護層１６を配設しても良い。
【００２０】
また、トートバッグ（携帯用物入れ）ｂにスキミング防護層１６を付加することによって、携帯用物入れとしての柔軟性が大きく損なわれて使い勝手が悪くなったり違和感が生じないようにするために、スキミング防護層１６は柔軟性に富んでいることが望ましい。そのために上記スキミング防護層１６として、図３に示すような網状シートに形成したものを用いている。すなわちスキミング防護層１６は、導電材料を糸状に加工した導電性細線を布状に織ってなるスキミング防護層１６を用いている。
【００２１】
そして、上記実施例に示すトートバッグ（携帯用物入れ）ｂを用いれば、仕切り収納部１５（あるいは収納部１３）に入れた非接触型ＩＣカード仕様の現金カードＣｂは、現金カードＣｂを包囲するスキミング防護層１６によって、外部に対し電磁波（電波）遮蔽されているので、トートバッグ（携帯用物入れ）ｂ内に収めている現金カードＣｂからのスキミングを試みようとしてスキマーをトートバッグ（携帯用物入れ）ｂに近づけても、トートバッグ（携帯用物入れ）ｂとスキマーの間が電磁波遮蔽されているので、スキマーによって現金カードＣｂに記録されている情報を読み取ることができず、スキミングを阻止することができる。また、スキミング防護層として、磁気遮蔽機能を奏するスキミング防護層６と電磁遮蔽機能を奏するスキミング防護層１６を合わせ持ったスキミング防護層とすることが望ましい。
【産業上の利用可能性】
【００２２】
上記実施例からも明らかなように、日常、現金カードを各種の鞄、袋物などの携帯用物入れに収めて携行し使用することが多い中で、携帯用物入れに収納している現金カードからスキミングされることが防止されるので、現金カード決済慣行が拡大する中で、この発明に係る携帯用物入れの利用効果は広く大きいものであり、産業上の利用可能性極めて高いと考えられる。
【図面の簡単な説明】
【００２３】
【図１】この発明の一実施例を示すクラッチバッグの斜視図。
【図２】図１のＡ−Ａ’による同クラッチバッグの断面図。
【図３】同クラッチバッグのスキミング防護層の一部斜視図。
【図４】この発明の他の実施例を示すトートバッグの斜視図。
【図５】図４のＢ−Ｂ’による同トートバッグの断面図。
【符号の説明】
【００２４】
１  ：  クラッチバッグの外面部材
２  ：  クラッチバッグの内面部材
３  ：  収納部
４  ：  ファスナー
５  ：  仕切り収納部
５ａ：  留め具
６  ：  磁気遮蔽効果を奏するスキミング防護層
１１：  トートバッグの外面部材
１２：  トートバッグの内面部材
１３：  収納部
１５：  仕切り収納部
１５ａ：留め具
１６：  電磁波（電波）遮蔽効果を奏するスキミング防護層
ａ  ：  クラッチバッグ
ｂ  ：  トートバッグ
Ｃａ：  現金カード（磁気カード仕様）
Ｃｂ：  現金カード（非接触型ＩＣカード仕様）
【図１】
2006000532.tif 000003
【図２】
2006000532.tif 000004
【図３】
2006000532.tif 000005
【図４】
2006000532.tif 000006
【図５】
2006000532.tif 000007